(57)【要約】【課題】ユーザにとってより使い易い３次元ディスプレイ装置を実現する。【解決手段】テレビ１は、画像を受信するＩｒＳＳ赤外線受光部１２０と、ＩｒＳＳ赤外線受光部１２０が受信した画像が２次元画像であるか３次元画像であるかを判定するＣＰＵ１１８と、ＣＰＵ１１８によってＩｒＳＳ赤外線受光部１２０が受信した画像が３次元画像であると判定された場合には３次元表示し、２次元画像であると判定された場合には２次元表示するＬＣＤコントローラ１０９とを備えている。【選択図】図１
2011250317.tif 000002
【特許請求の範囲】
【請求項１】
画像を受信する画像受信手段と、
上記画像受信手段が受信した画像が２次元画像であるか３次元画像であるかを判定する判定手段と、
上記画像受信手段が受信した画像を表示部に表示させる表示制御手段であって、上記判定手段によって当該画像が３次元画像であると判定された場合には当該画像を３次元表示し、上記判定手段によって当該画像が２次元画像であると判定された場合には当該画像を２次元表示する表示制御手段と、を備えていることを特徴とする３次元ディスプレイ装置。
【請求項２】
上記画像受信手段が受信した２次元画像から擬似３次元画像を生成する生成手段と、
上記画像受信手段が受信した３次元画像から２次元画像を抽出する抽出手段とを更に備え、
上記表示制御手段は、上記画像受信手段が受信した２次元画像を２次元表示している際に、３次元表示への切り替え指示をユーザから受け付けると、上記生成手段が生成した擬似３次元画像を３次元表示し、上記画像受信手段が受信した３次元画像を３次元表示している際に、２次元表示への切り替え指示をユーザから受け付けると、上記抽出手段が抽出した２次元画像を２次元表示する、ことを特徴とする請求項１に記載の３次元ディスプレイ装置。
【請求項３】
上記表示制御手段は、上記３次元画像に含まれる右目用画像と左目用画像とを３次元表示する前に、上記右目用画像と左目用画像とのうち先にデコードが完了した方の画像を２次元表示する、ことを特徴とする請求項１または２に記載の３次元ディスプレイ装置。
【請求項４】
３次元表示中の第１の３次元画像を格納するための第１の記憶部と、
上記画像受信手段が受信した第２の３次元画像を格納するための第２の記憶部とを更に備えており、上記表示制御手段は、上記第２の記憶部に格納された第２の３次元画像の３次元表示を開始するまで、上記第１の記憶部に格納された上記第１の３次元画像を３次元表示し続けることを特徴とする請求項１から３の何れか１項に記載の３次元ディスプレイ装置。
【請求項５】
上記画像受信手段が３次元画像に含まれる右目用画像及び左目用画像の何れか一方を正常に受信することができなかった場合、上記右目用画像及び上記左目用画像のうち正常に受信した方の画像を２次元表示する、ことを特徴とする請求項１から４の何れか１項に記載の３次元ディスプレイ装置。
【請求項６】
３次元ディスプレイ装置に画像を表示する表示方法であって、
画像を受信する画像受信ステップと、
上記画像受信ステップにて受信した画像が２次元画像であるか３次元画像であるかを判定する判定ステップと、
上記画像受信ステップにて受信した画像を表示部に表示させる表示制御ステップであって、上記判定ステップによって当該画像が３次元画像であると判定された場合には当該画像を３次元表示し、上記判定ステップによって当該画像が２次元画像であると判定された場合には当該画像を２次元表示する表示制御ステップと、を含んでいることを特徴とする
表示方法。
【請求項７】
コンピュータを請求項１から５までの何れか１項に記載の３次元ディスプレイ装置として動作させるためのプログラムであって、上記コンピュータを上記３次元ディスプレイ装置が備えている上記各手段として機能させるプログラム。
【請求項８】
請求項７に記載のプログラムが記録されたコンピュータ読み取り可能な記録媒体。
【発明の詳細な説明】
【技術分野】
【０００１】
本発明は、画像を３次元表示する３次元ディスプレイに関する。また、そのような３次元ディスプレイにおいて画像を表示する表示方法に関する。更に、そのような３次元ディスプレイとしてコンピュータを動作させるプログラム、及び、そのようなプログラムが記録されている記録媒体に関する。
【背景技術】
【０００２】
３次元ディスプレイが市場に浸透し始め、３次元画像の立体視が身近なものになりつつある。３次元ディスプレイとしては、３次元動画像を表示可能な３Ｄテレビジョン受像機の他に、３次元静止画像を表示可能な３Ｄデジタルフォトフレームが挙げられる。
【０００３】
このような３次元ディスプレイは、３次元静止画像を撮像可能な３Ｄデジタルカメラと併用されることが多い。３Ｄデジタルカメラでは、１回の撮像により２次元画像ファイルと３次元画像ファイルとが同時に生成される。３次元画像ファイルのフォーマットとしては、左目用画像と右目用画像とを格納可能なマルチピクチャフォーマット（Ｍｕｌｔｉ−Ｐｉｃｔｕｒｅ  Ｆｏｒｍａｔ）形式（拡張子は.mpo）が一般的である（非特許文献１参照）。
【０００４】
また、高画質なハイビジョン信号の３次元映像が撮影できる、モバイル機器向け３Ｄデジタルカメラモジュールが開発されている。このような３Ｄデジタルカメラモジュールを搭載した３Ｄデジタルカメラや３Ｄ携帯電話端末等で撮影した高精細の３次元映像を３Ｄハイビジョンテレビジョン受像機で立体的に楽しむことも可能になっている。
【０００５】
非特許文献２には、赤外線通信ポートを備え、３Ｄデジタルカメラから送信された静止画像を受信して表示するデジタルフォトフレームが記載されている。このデジタルフォトフレームは、３次元画像を２次元表示する機能、及び、２次元画像を（擬似）３次元表示する機能を有しており、３次元表示を行っているときに２次元画像を受信すると、受信画像を（擬似）３次元表示し、２次元表示を行っているときに３次元画像を受信すると、受信画像を２次元表示する構成が採用されている。なお、非特許文献２に記載のデジタルフォトフレームにおける（擬似）３次元表示は、単一の２次元画像をユーザの両眼に提示することによって実現されている。
【先行技術文献】
【非特許文献】
【０００６】
【非特許文献１】カメラ映像機器工業会規格  ＣＩＰＡ  ＤＣ−００７−２００９  マルチピクチャフォーマット  ２００９年２月４日制定
【非特許文献２】“FinePix REAL 3D V1”[online]、富士フィルム、（２０１０年５月２１日検索）、インターネット＜http://fujifile.jp/personal/3d/viewer/finepixreal3dv1/index.html＞
【発明の概要】
【発明が解決しようとする課題】
【０００７】
３Ｄデジタルカメラで撮像した静止画像をデジタルフォトフレームに３次元表示したい場合、ユーザは、３次元画像の送信を３Ｄデジタルカメラに指示する。また、３Ｄデジタルカメラで撮像した静止画像をデジタルフォトフレームに２次元表示したい場合、ユーザは、２次元画像の送信を３Ｄデジタルカメラに指示する。
【０００８】
しかしながら、非特許文献２に記載のデジタルフォトフレームにおいては、上述したとおり、３Ｄデジタルカメラから２次元画像を送信したにも関わらず（擬似）３次元表示が行われたり、３Ｄデジタルカメラから３次元画像を送信したにも関わらず２次元表示が行われたりする。すなわち、非特許文献２に記載のデジタルフォトフレームの動作は、ユーザが求める動作と異なる動作であり、ユーザに違和感を与えるという問題があった。また、３Ｄデジタルカメラから指示どおりの画像が送信されたのか否かを、ユーザが確認し難いという問題があった。つまり、非特許文献２に記載のデジタルフォトフレームは、ユーザにとって使い易いものではなかった。
【０００９】
本発明は、上記の課題を解決するためになされたものであり、その主たる目的は、ユーザにとってより使い易い３次元ディスプレイ装置を実現することにある。
【課題を解決するための手段】
【００１０】
上記課題を解決するために、本発明に係る３次元ディスプレイ装置は、画像を受信する画像受信手段と、上記画像受信手段が受信した画像が２次元画像であるか３次元画像であるかを判定する判定手段と、上記画像受信手段が受信した画像を表示部に表示させる表示制御手段であって、上記判定手段によって当該画像が３次元画像であると判定された場合には当該画像を３次元表示し、上記判定手段によって当該画像が２次元画像であると判定された場合には当該画像を２次元表示する表示制御手段と、を備えていることを特徴としている。
【００１１】
また、上記課題を解決するために、本発明に係る表示方法は、３次元ディスプレイ装置に画像を表示する表示方法であって、画像を受信する画像受信ステップと、上記画像受信ステップにて受信した画像が２次元画像であるか３次元画像であるかを判定する判定ステップと、上記画像受信ステップにて受信した画像を表示部に表示させる表示制御ステップであって、上記判定ステップによって当該画像が３次元画像であると判定された場合には当該画像を３次元表示し、上記判定ステップによって当該画像が２次元画像であると判定された場合には当該画像を２次元表示する表示制御ステップと、を含んでいることを特徴としている。
【００１２】
上記構成によれば、３次元ディスプレイ装置は、２次元表示しているか３次元表示しているかにかかわらず、画像受信手段が受信した画像が２次元画像であれば、それを２次元表示し、画像受信手段が受信した画像が３次元画像であれば、それを３次元表示する。すなわち、この３次元ディスプレイ装置は、受信した画像を表示する際の表示形式（２次元表示を行うか３次元表示を行うか）を、現在の表示形式に応じて決めるのではなく、受信した画像のデータ形式（２次元画像であるか３次元画像であるか）に応じて決定する。
【００１３】
これにより、３次元ディスプレイ装置に対して２次元画像を送信したにも関わらず３次元表示が行われたり、３次元ディスプレイ装置に対して３次元画像を送信したにも関わらず２次元表示が行われたりすることのない、ユーザにとってより使い易い３ディスプレイ装置を実現することができる。
【００１４】
なお、３次元画像とは、ユーザの右目に提示するための右目用画像と、ユーザの左目に提示するための左目用画像を含む画像（画像データ）のことを指す。また、３次元画像を３次元表示するとは、その３次元画像に含まれる右目用画像をユーザの右目に選択的に提示し、その３次元画像に含まれる左目用画像をユーザの左目に選択的に提示する表示態様のことを指す。２次元画像を２次元表示するとは、その２次元画像をユーザの右目と左目とに同時に提示する通常の表示態様のことを指す。
【００１５】
上記画像受信手段が受信した２次元画像から擬似３次元画像を生成する生成手段と、上記画像受信手段が受信した３次元画像から２次元画像を抽出する抽出手段とを更に備え、上記表示制御手段は、上記画像受信手段が受信した２次元画像を２次元表示している際に、３次元表示への切り替え指示をユーザから受け付けると、上記生成手段が生成した擬似３次元画像を３次元表示し、上記画像受信手段が受信した３次元画像を３次元表示している際に、２次元表示への切り替え指示をユーザから受け付けると、上記抽出手段が抽出した２次元画像を２次元表示する、ことが好ましい。
【００１６】
上記構成によれば、ユーザは、２次元画像を３次元ディスプレイ装置に受信させ２次元表示させた後、その２次元画像から生成された擬似３次元画像を３次元ディスプレイ装置に３次元表示させることができる。また、ユーザは、３次元画像を３次元ディスプレイ装置に受信させ３次元表示させた後、その３次元画像から抽出された２次元画像を３次元ディスプレイ装置に２次元表示させることができる。つまり、ユーザは、３次元ディスプレイにおいて２次元表示を行うか３次元表示を行うかを自在に切り替えることができる。
【００１７】
例えば、２次元画像を３次元ディスプレイに送信すべきところを、誤って３次元画像を３次元ディスプレイに送信してしまった場合、３次元画像が３次元ディスプレイ装置に３次元表示されるため、ユーザはすぐに間違いに気づくことができる。このとき、３次元ディスプレイ装置に２次元表示への切り替え指示をすることによって、２次元画像を送信し直すことなく、３次元ディスプレイ装置に２次元画像を表示させることができる。
【００１８】
なお、擬似３次元画像とは、単一の２次元画像から生成した右目用画像と左目用画像とを含む３次元画像のことを指す。右目用画像と左目用画像とに、元になる２次元画像を画像解析することによって得られた奥行情報に応じた差（視差）を与えることで、擬似３次元画像を３次元表示した場合でも、３次元画像を３次元表示する場合と同様、立体視を実現することが可能になる。
【００１９】
本発明に係る３次元ディスプレイ装置では、上記表示制御手段は、上記３次元画像に含まれる右目用画像と左目用画像とを３次元表示する前に、上記右目用画像と左目用画像とのうち先にデコードが完了した方の画像を２次元表示する、ことが好ましい。
【００２０】
上記構成によれば、上記右目用画像のデコードと、上記左目用画像のデコードとが完了するまで、右目用画像と左目用画像との３次元表示を開始しない場合と比べ、表示部に何も表示されない期間を短くすることができる。
【００２１】
本発明に係る３次元ディスプレイ装置は、３次元表示中の第１の３次元画像を格納するための第１の記憶部と、上記画像受信手段が受信した第２の３次元画像を格納するための第２の記憶部とを更に備えており、上記表示制御手段は、上記第２の記憶部に格納された第２の３次元画像の３次元表示を開始するまで、上記第１の記憶部に格納された上記第１の３次元画像を３次元表示し続ける、ことが好ましい。
【００２２】
上記構成によれば、３次元ディスプレイ装置は、第２の記憶部に格納された第２の３次元画像の３次元表示を開始するまで（例えば、第２の３次元画像に含まれる右目用画像と左目用画像とのデコードが完了するまで）、第１の記憶部に格納された第１の３次元画像を表示し続ける。そのため、ユーザは、第１の３次元画像と第２の３次元画像とを連続して見ることができる。
【００２３】
本発明に係る３次元ディスプレイ装置では、上記画像受信手段が３次元画像に含まれる右目用画像及び左目用画像の何れか一方を正常に受信することができなかった場合、上記右目用画像及び上記左目用画像のうち正常に受信した方の画像を２次元表示する、ことが好ましい。
【００２４】
上記構成によれば、ユーザは、３次元ディスプレイ装置が正常に受信できなかった画像がどの画像であるかを容易に確認することができる。
【００２５】
なお、本発明に係る上記３次元ディスプレイ装置は、コンピュータによって実現してもよい。この場合、コンピュータを上記３次元ディスプレイ装置として動作させることにより、上記３次元ディスプレイ装置をコンピュータにおいて実現するプログラム、および、そのプログラムを記録したコンピュータ読み取り可能な記録媒体も、本発明の範疇に含まれる。
【発明の効果】
【００２６】
以上のように、本発明に係る３次元ディスプレイ装置は、画像を受信する画像受信手段と、上記画像受信手段が受信した画像が２次元画像であるか３次元画像であるかを判定する判定手段と、上記画像受信手段が受信した画像を表示部に表示させる表示制御手段であって、上記判定手段によって当該画像が３次元画像であると判定された場合には当該画像を３次元表示し、上記判定手段によって当該画像が２次元画像であると判定された場合には当該画像を２次元表示する表示制御手段と、を備えていることを特徴としている。
【００２７】
また、本発明に係る表示方法は、３次元ディスプレイ装置に画像を表示する表示方法であって、画像を受信する画像受信ステップと、上記画像受信ステップにて受信した画像が２次元画像であるか３次元画像であるかを判定する判定ステップと、上記画像受信ステップにて受信した画像を表示部に表示させる表示制御ステップであって、上記判定ステップによって当該画像が３次元画像であると判定された場合には当該画像を３次元表示し、上記判定ステップによって当該画像が２次元画像であると判定された場合には当該画像を２次元表示する表示制御ステップと、を含んでいることを特徴としている。
【００２８】
これにより、３次元ディスプレイ装置に対して２次元画像を送信したにも関わらず３次元表示が行われたり、３次元ディスプレイ装置に対して３次元画像を送信したにも関わらず２次元表示が行われたりすることのない、ユーザにとってより使い易い３ディスプレイ装置を実現することができる。
【図面の簡単な説明】
【００２９】
【図１】本発明の実施形態に係るテレビの構成を示すブロック図である。
【図２】図１に示すテレビにおける受信画像表示処理の流れを示すフローチャートである。
【図３】図１に示すテレビにおける、受信画像表示処理実行時の表示画面の一例を示す図である。
【図４】図１に示すテレビにおける、３次元画像が表示されている状態での、受信画像表示処理実行時の表示画面の一例を示す図である。
【図５】図１に示すテレビにおける、受信画像表示処理実行途中にエラーが発生した場合の表示画面の一例を示す図である。
【発明を実施するための形態】
【００３０】
本発明の３次元ディスプレイ装置に関する実施の一形態について図１から図５を参照して説明すれば、以下のとおりである。なお、本実施形態では、３次元ディスプレイ装置として、３Ｄテレビジョン受像機（以下「テレビ」と呼称する）を例示するが、本発明はこれに限定されるものではなく、３Ｄデジタルフォトフレームなど、他の３次元ディスプレイ装置に適用することもできる。
【００３１】
〔テレビの構成〕
本実施形態に係るテレビ１の構成について、図１を参照して説明する。図１は、テレビ１の構成を示すブロック図である。
【００３２】
図１に示すように、テレビ１は、３つのＨＤＭＩ入力端子１１ａ〜１１ｃ、ＨＤＭＩスイッチ１１ｄ、ＨＤＭＩレシーバ１００、映像入力端子１０１ａ、音声入力端子１０１ｂ、ＢＤドライブ１０２、チューナ１０３、ＩＰ放送チューナ１０４、衛星放送チューナ１０５、ＯＳＤ生成部１０６、映像セレクタ１０７、映像処理回路１０８、ＬＣＤコントローラ１０９、ＬＣＤ（Liquid Crystal Display）１１０、音声セレクタ１１１、音声処理回路１１２、デジタルアンプ１１３、スピーカ１１４、イーサネット（登録商標）Ｉ／Ｆ１１５、ＲＯＭ１１６、ＲＡＭ１１７、ＣＰＵ１１８、リモコン赤外線受光部１１９、ＩｒＳＳ赤外線受光部１２０、ＵＳＢ・Ｉ／Ｆ１２１、スイッチ１３０、３Ｄ変換部１３１、２Ｄ−３Ｄ変換部１３２、及び、眼鏡制御部１３３を備えている。図４においては、映像信号の経路を実線で、音声信号の経路を１点鎖線で、データや制御信号の経路（バス）を太線で示している。
【００３３】
（１）ＨＤＭＩレシーバ１００が受信した映像、（２）映像入力端子１０１ａから入力された映像、（３）ＢＤドライブ１０２がＢＤ（Blu-ray Disc）から読み出した映像、（４）チューナ１０３が受信した映像、（５）ＩＰ放送チューナ１０４が受信した映像、及び、（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、及び、（６）衛星放送チューナ１０５が受信した音声は、それぞれ、音声セレクタ１１１に供給される。
【００３４】
なお、（ａ）ＨＤＭＩレシーバ１００が何れのＨＤＭＩ入力端子に接続されるか、すなわち、ＨＤＭＩスイッチ１１ｄが何れのＨＤＭＩ入力端子から入力されたコンテンツをＨＤＭＩレシーバ１００に供給するか、（ｂ）チューナ１０３が何れのチャンネルを介して伝送されたコンテンツを受信するか、（ｃ）ＩＰ放送チューナ１０４が何れのサーバから配信されたコンテンツを受信するか、（ｄ）衛星放送チューナ１０５が何れのチャンネルを介して伝送されたコンテンツを受信するかを選局する選局制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００３５】
映像セレクタ１０７は、（１）ＨＤＭＩレシーバ１００から供給された映像、（２）映像入力端子１０１ａから供給された映像、（３）ＢＤドライブ１０２から供給された映像、（４）チューナ１０３から供給された映像、（５）ＩＰ放送チューナ１０４から供給された映像、及び、（６）衛星放送チューナ１０５から供給された映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００３６】
映像処理回路１０８は、映像セレクタ１０７から供給された映像の画質を調整する。また、映像処理回路１０８は、映像セレクタ１０７から供給された映像をスケーリングする。ここで、画質の調整とは、例えば、輝度、シャープネス、及び、コントラストの少なくとも何れかを変化させることを指す。また、スケーリングとは、表示すべき映像本来のアスペクト比を保ったままサイズを縮小することを指す。映像処理回路１０８によって画質調整とスケーリングとを施された映像は、スイッチ１３０に供給される。なお、映像処理回路１０８が画質をどのように変化させるか、及び、映像をどの程度縮小するかは、ＣＰＵ１１８によって制御される。
【００３７】
ＯＳＤ生成部１０６は、映像処理回路１０８から出力される映像に重ねて表示するＯＳＤ画像を生成する。ＯＳＤ生成部１０６が生成したＯＳＤ画像は、加算器によって映像処理回路１０８から供給された映像に加算されて、スイッチ１３０に供給される。なお、映像処理回路１０８から供給される映像がサイドバイサイド方式、トップアンドボトム方式などの３Ｄ映像である場合、ＯＳＤ生成部１０６は、当該方式に応じたＯＳＤ画像を生成する。また、どのようなＯＳＤ画像を生成するかは、ＣＰＵ１１８によって制御される。
【００３８】
また、ＯＳＤ生成部１０６は、ＩｒＳＳ赤外線受光部１２０が受信した静止画像（以下、「受信画像」とも呼称する）をデコードする機能を有している。受信画像が２次元画像である場合、ＯＳＤ生成部１０６は、その２次元画像をデコードすることにより得られた画像をコマ画像とする２次元映像を生成し、スイッチ１３０に供給する。受信画像が３次元画像である場合、ＯＳＤ生成部１０６は、その３次元画像をデコードすることにより得られた右目用画像と左目用画像との両方を含むコマ画像からなる３次元映像（サイドバイサイド方式またはトップアンドボトム方式）を生成し、スイッチ１３０に供給する。
【００３９】
なお、ＯＳＤ制御部１０６は、受信画像をデコードすることにより得られた左目用画像と右目用画像を格納するデコード用バッファ（第１の記憶部）とは別に、スイッチ１０３に供給する左目用画像と右目用画像とを格納する表示用バッファ（第２の記憶部）とを備えていてもよい。なお、ＯＳＤ生成部１０６内に設けられた２つの記憶部をデコード用バッファ及び表示用バッファとして使用する構成に代えて、ＲＡＭ１１７内に設けられた２つの領域を表示用バッファ及びデコード用バッファとして使用する構成を採用してもよいい。
【００４０】
映像処理回路１０８及びＯＳＤ生成部１０６から出力される２次元映像は、表示モードが２次元表示モードである場合、直接ＬＣＤコントローラ１０９に供給され、表示モードが３次元表示モードである場合、２Ｄ-３Ｄ変換部１３２及び３Ｄ処理部１３１を介してＬＣＤコントローラ１０９に供給される。また、映像処理回路１０８及びＯＳＤ生成部１０６から出力される３次元映像は、表示モードが２次元表示モードである場合、２Ｄ-３Ｄ変換部１３２を介してＬＣＤコントローラ１０９に供給され、表示モードが３次元表示モードである場合、３Ｄ処理部１３１を介してＬＣＤコントローラ１０９に供給される。映像信号供給路のこのような切り替えは、図１に示すようにスイッチ１３０によって実現される。
【００４１】
３Ｄ処理部１３１は、右目用画像と左目用画像との両方を含むコマ画像からなる３次元映像（サイドバイサイド方式またはトップアンドボトム方式）を、右目用画像のみを含む右目用コマ画像と左目用画像のみを含む左目用コマ画像とからなる３次元映像に変換するものである。例えば、変換前の映像信号がサイドバイサイド方式の映像信号である場合、３Ｄ処理部１３１は、（１）変換前の３次元映像を構成する各コマ画像の右半分を横方向に２倍に拡大することによって右目用コマ画像を生成し、（２）変換前の３次元映像を構成する各コマ画像の左半分を横方向に２倍に拡大することによって左目用コマ画像を生成し、（３）生成した右目用コマ画像と左目用コマ画像とを交互に出力する。このため、３Ｄ処理部１３１から出力される映像のフレームレート（例えば２４０フレーム／秒）は、３Ｄ処理部１３１に入力される映像のフレームレート（例えば１２０フレーム／秒）の２倍になる。
【００４２】
２Ｄ−３Ｄ変換部１３２は、２次元映像から擬似３次元映像を生成する機能、及び、３次元映像から２次元映像を抽出する機能を有する。具体的には、表示モードが２次元表示モードであるときには、映像処理回路１０８及びＯＳＤ生成部１０６から供給された３次元映像を２次元映像に変換し、表示モードが３次元表示モードであるときには、映像処理回路１０８及びＯＳＤ生成部１０６から供給された２次元映像を擬似３次元映像に変換する。２次元映像から３次元映像への変換は、例えば、２次元映像を構成するコマ画像から右目用画像と左目用画像とを生成し、生成した右目用画像と左目用画像との両方を含む画像をコマ画像とすることによって実現される。また、３次元映像から２次元映像への変換は、例えば、３次元映像を構成するコマ画像に含まれる左目用画像を抽出し、抽出した左目用画像をコマ画像とすることによって実現される。
【００４３】
音声セレクタ１１１は、（１）ＨＤＭＩレシーバ１００から供給された音声、（２）映像入力端子１０１ａから供給された音声、（３）ＢＤドライブ１０２から供給された音声、（４）チューナ１０３から供給された音声、（５）ＩＰ放送チューナ１０４から供給された音声、及び、（６）衛星放送チューナ１０５から供給された音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択とは連動しており、例えば、映像セレクタ１０７がＨＤＭＩレシーバ１００から供給された映像を選択しているときには、音声セレクタ１１１もＨＤＭＩレシーバ１００から供給された音声を選択する。
【００４４】
音声処理回路１１２は、音声セレクタ１１１から供給された音声の音量及び音質を調整する。ここで、音質の調整とは、音声セレクタ１１１から供給された音声の周波数特性を変化させること（例えば、低域の強調や高域の強調など）を指す。音声処理回路１１２によって音量及び音質を調整された音声は、デジタルアンプ１１３に供給される。なお、音声処理回路１１２によって音量及び音質をどのように変化させるかは、ＣＰＵ１１８によって制御される。
【００４５】
デジタルアンプ１１３は、音声処理回路１１２から供給された音声が出力されるようにスピーカ１１４を駆動する。これにより、音声セレクタ１１１により選択された音声がスピーカ１１４から出力される。
【００４６】
ＲＯＭ１１６は、ＣＰＵ１１８によって実行されるプログラムなどの固定データが格納される、読み出し可能かつ書き込み不能なメモリである。ＯＳＤ画像を生成するためにＯＳＤ生成部１０６が参照するＪＰＥＧデータやＳＶＧ（Scalable Vector Graphics）データなども、このＲＯＭ１１６に格納される。また、ＲＯＭ１１６は、ＥＥＰＲＯＭであってもよい。
【００４７】
ＲＡＭ１１７は、ＣＰＵ１１８が演算のために参照するデータ、及び、ＣＰＵ１１８が演算によって生成したデータなどの可変データが格納される、読み出し可能かつ書き込み可能なメモリである。ＲＡＭ１１７には、ＩｒＳＳ赤外線受光部１２０が受信した受信画像も格納される。また、ＲＡＭ１１７は、ハードディスクドライブであってもよいし、Ｆｌａｓｈメモリであってもよい。
【００４８】
イーサネットＩ／Ｆ１１５は、テレビ１をネットワークに接続するためのインターフェースである。上述したＩＰ放送チューナ１０５は、このイーサネットＩ／Ｆ１１５を介してインターネット上のサーバにアクセスする。イーサネットＩ／Ｆは、ＬＡＮケーブルの接続するインターフェースであってもよいし、同軸ケーブルを接続するインターフェースであってもよい。
【００４９】
また、イーサネットＩ／Ｆ１１５は、有線ケーブルに限定されない。たとえば、無線ＬＡＮ、Ｂｌｕｅｔｏｏｔｈ、及びＷｉｆｉなどの無線ネットワークへ接続するためのインターフェースであってもよい。
【００５０】
リモコン赤外線受光部１１９は、リモートコントローラ（リモコン）からのリモコン信号を受信する。リモコン赤外線受光部１１９は、受信したリモコン信号を、ＣＰＵ１１８に通知する。
【００５１】
ＩｒＳＳ赤外線受光部１２０は、ＩｒＳＳを用いた近距離無線通信により、デジタルカメラ等から送信された静止画像を受信するための手段である。ＩｒＳＳ赤外線受光部１２０は、受信した受信画像を、ＣＰＵ１１８に通知する。
【００５２】
ＵＳＢ・Ｉ／Ｆ１２１は、ＵＳＢメモリをテレビ１に接続するためのインターフェースである。テレビ１は、このＵＳＢ・Ｉ／Ｆ１２１を介してＵＳＢメモリ内のデータを参照する。また、ＵＳＢ・Ｉ／Ｆ１２１は、ＵＳＢメモリを接続するインターフェースに限定されない。例えば、ＳＤカードを接続するインターフェースであってもよいし、外付けのハードディスクドライブや、ＢＤドライブを接続するインターフェースであってもよい。
【００５３】
ＬＣＤコントローラ１０９は、映像処理回路１０８からスイッチ１３０を経由して供給された映像、ＩｒＳＳ赤外線受光部が受信した画像、２Ｄ−３Ｄ変換部１３０より変換された画像が表示されるようにＬＣＤ１１０を駆動する。これにより、映像セレクタ１０７により選択された映像、もしくは、ＩｒＳＳ赤外線受光部１２０が受信した受信画像がＬＣＤ１１０から出力される。なお、ＯＳＤ生成部１０６からＯＳＤ画像が供給されている場合、ＬＣＤコントローラ１０９は、ＯＳＤ生成部１０６から供給されたＯＳＤ画像を映像、もしくは受信画像に重ねて表示する。
【００５４】
また、ＬＣＤコントローラ１０９は、パネル駆動速度の変更や３Ｄ眼鏡駆動の設定を行う。ＬＣＤコントローラ１０９は、３次元表示する場合、３Ｄ眼鏡駆動の設定にて行った、左目用画像と右目用画像との表示タイミングを眼鏡制御部１３３に通知する。
【００５５】
眼鏡制御部１３３は、ＬＣＤコントローラ１０９から受信した表示タイミングに同期して、アクティブシャッターメガネ方式の３Ｄ眼鏡を制御する制御信号を送信するよう、赤外線発光１２２を制御する。アクティブシャッターメガネ方式とは、テレビ１が左目用映像と右目用映像とを交互に表示するタイミングに同期して、交互に３Ｄ眼鏡のレンズを開閉する方式である。
【００５６】
ＣＰＵ１１８は、リモコン赤外線受光部１１９が受信したリモコン信号に応じて上記各部を制御する。リモコン赤外線受光部１１９を用いた制御としては、例えば、チューナ１０４にて選択するチャンネルをリモコン信号に応じて切り替える制御や、映像セレクタ１０７及び音声セレクタ１１１にて選択する映像及び音声をリモコン信号に応じて切り替える制御などが挙げられる。また、ＬＣＤ１１０に表示されている画像の表示を、２次元表示から３次元表示に、もしくは、３次元表示から２次元表示に切り替えるようスイッチ１３０を制御する。
【００５７】
また、ＣＰＵ１１８は、ＩｒＳＳ赤外線受光部１２０が受信した受信画像が、２次元画像であるか３次元画像であるかを判定する手段である。ＣＰＵ１１８は、受信画像をＲＡＭ１１７に格納すると共に、判定結果と受信画像とをＯＳＤ生成部１０６に通知する。また、該判定結果に基づいて、処理を切り替えるようスイッチ１３０を制御する。
【００５８】
〔受信画像表示処理の詳細〕
テレビ１が、ＩｒＳＳを用いて画像を受信したときに、テレビ１にて実行される受信画像表示処理について、図２〜図５を参照して説明する。図２は、テレビ１にて実行される受信画像表示処理の流れを示すフローチャートである。図２に示すフローチャートに含まれる各ステップについて順に説明すれば以下のとおりである。
【００５９】
ステップＳ１１：ＣＰＵ１１８は、ＩｒＳＳ赤外線受光部１２０から、ＩｒＳＳを用いて受信した画像（以下、「受信画像」とも呼称する）を供給されると、ＲＡＭ１１７に受信画像を格納する。ＯＳＤ生成部１０６は、画像を受信していることを示すＯＳＤ画面を作成し、ＬＣＤコントローラ１０９に供給する。ＬＣＤコントローラ１０９は、受信したＯＳＤ画面をＬＣＤ１１０に表示させる。
【００６０】
ステップＳ１２：ＣＰＵ１１８は、ＩｒＳＳ赤外線受光部１２０から受信した受信画像が２次元画像であるか３次元画像であるかを判定する。２次元画像である場合、ステップＳ１３を実行する。３次元画像である場合、ステップＳ２１を実行する。
【００６１】
ステップＳ１３：ＯＳＤ生成部１０６は、受信した２次元画像をデコードし、デコードした２次元画像をコマ画像とする２次元映像を生成する。
【００６２】
ステップＳ１４：ＬＣＤコントローラ１０９は、現在３次元表示している場合は、２次元画像を２次元表示するためにパネルの駆動速度を変更するといった２次元化処理を行う。２次元化処理を行っている間は表示がミュートされ、ＬＣＤ１１０には黒画面が表示される。
【００６３】
ステップＳ１５：ＬＣＤコントローラ１０９は、ステップＳ１３にて生成された２次元映像を、ＬＣＤ１１０に２次元表示させる。
【００６４】
ステップＳ１６：ＣＰＵ１１８は、ＩｒＳＳ赤外線受光部１２０から他の画像が供給された場合は、ステップＳ１１に戻る。
【００６５】
ステップＳ１７：ＣＰＵ１１８は、リモコンに対して２次元表示を３次元表示に切り替えることを指示する操作（例えば、リモコンに設けられた「３Ｄボタン」を押下する操作）が行なわれたことを示すリモコン信号をリモコン赤外線受光部１１９が受信したか否かを判定する。このリモコン信号をリモコン赤外線受光部１１９が受信している場合、ステップＳ１７を実行する。受信していない場合は、ステップＳ１６に戻る。
【００６６】
ステップＳ１８：ＬＣＤコントローラ１０９は、２次元表示から３次元表示に切り替えるために、パネルの駆動速度を変更するといった３次元化処理を行う。３次元化処理を行っている間は表示がミュートされ、ＬＣＤ１１０には黒画面が表示される。
【００６７】
ステップＳ１９：２Ｄ−３Ｄ変換部１３２は、ステップＳ１３で生成した２次元映像から、擬似３次元映像を生成する。また、３Ｄ処理部１３１は、右目用画像と左目用画像との両方を含むコマ画像からなる擬似３次元映像（サイドバイサイド方式またはトップアンドボトム方式）を、右目用画像のみを含む右目用コマ画像と左目用画像のみを含む左目用コマ画像とからなる擬似３次元映像に変換する。
【００６８】
ステップＳ２０：ＬＣＤコントローラ１０９は、ステップＳ１９で生成された３次元映像をＬＣＤ１１０に３次元表示させる。その後、ステップＳ２４を実行する。
【００６９】
ステップＳ２１：ステップＳ１２において、受信画像が３次元画像である場合、ＯＳＤ生成部１０６は、受信した３次元画像をデコードして得られた左目用画像と右目用画像との両方を含むコマ画像からなる３次元映像（サイドバイサイド方式またはトップアンドボトム方式）を生成する。また、３Ｄ処理部１３１は、ＯＳＤ生成部１０６にて生成された上記３次元映像を右目用画像のみを含む右目用コマ画像と左目用画像のみを含む左目用コマ画像とからなる３次元映像に変換する。
【００７０】
ステップＳ２２：ＬＣＤコントローラ１０９は、現在２次元表示している場合は、２次元表示から３次元表示に切り替えるために、パネルの駆動速度を変更するといった３次元化処理を行う。３次元化処理を行っている間は表示がミュートされ、ＬＣＤ１１０には黒画面が表示される。
【００７１】
ステップＳ２３：ＬＣＤコントローラ１０９は、ステップＳ２１で生成された３次元映像をＬＣＤ１１０に３次元表示させる。
【００７２】
ステップＳ２４：ＣＰＵ１１８は、ＩｒＳＳ赤外線受光部１２０から他の画像が供給された場合は、ステップＳ１１に戻る。
【００７３】
ステップＳ２５：ＣＰＵ１１８は、リモコンに対して３次元表示を２次元表示に切り替えることを指示する操作（例えば、リモコンに設けられた「３Ｄボタン」を再度押下する操作）が行なわれたことを示すリモコン信号をリモコン赤外線受光部１１９が受信したか否かを判定する。このリモコン信号をリモコン赤外線受光部１１９が受信している場合、ステップＳ２６を実行する。受信していない場合は、ステップＳ２４に戻る。
【００７４】
ステップＳ２６：ＬＣＤコントローラ１０９は、３次元表示から２次元表示に切り替えるために、パネルの駆動速度を変更するといった２次元化処理を行う。２次元化処理を行っている間は表示がミュートされ、ＬＣＤ１１０には黒画面が表示される。
【００７５】
ステップＳ２７：２Ｄ−３Ｄ変換部１３２は、ステップＳ２３で表示した３次元映像の左目用画像もしくは右目用画像のどちらか一方を抽出し、サイズを調整した２次元画像から、該２次元画像をコマ画像とする２次元映像を生成する。
【００７６】
ステップＳ２８：ＬＣＤコントローラ１０９は、ステップＳ２７で生成された２次元映像をＬＣＤ１１０に２次元表示させる。その後、ステップＳ１６を実行する。
【００７７】
なお、ステップＳ１９において、２次元映像の３次元表示用のデータ（３次元画像）が、ＲＡＭ１１７に記録されている場合、ステップＳ１９の代わりに該３次元画像をＯＳＤ生成部１０６にてデコードし、デコードして得られた左目用画像と右目用画像との両方を含むコマ画像からなる３次元映像（サイドバイサイド方式またはトップアンドボトム方式）を生成してもよい。
【００７８】
また、ステップＳ２７において、３次元映像の２次元表示用のデータ（２次元画像）が、ＲＡＭ１１７に記録されている場合、ステップＳ２７の代わりに該２次元画像をＯＳＤ生成部１０６にてデコードし、デコードした２次元画像をコマ画像とする２次元映像を生成してもよい。
【００７９】
なお、図２に示すフローチャートにおいて、ユーザからの終了指示を受信したとき、上記受信画像表示処理を終了する。
【００８０】
これにより、テレビ１は、２次元表示しているか３次元表示しているかにかかわらず、ＩｒＳＳ赤外線受光部１２０が画像を受信した画像が２次元画像であれば、２次元表示し、該画像が３次元画像であれば３次元表示することができる。
【００８１】
すなわち、テレビ１は、受信した画像を表示する際の表示形式（２次元表示を行うか３次元表示を行うか）を、現在の表示形式に応じて決めるのではなく、受信した画像のデータ形式（２次元画像であるか３次元画像であるか）に応じて決定する。
【００８２】
これにより、テレビ１は、テレビ１に対して２次元画像を送信したにも関わらず３次元表示が行われたり、テレビ１に対して３次元画像を送信したにも関わらず２次元表示が行われたりすることがない。
【００８３】
また、ユーザは、２次元画像をテレビ１に受信させ２次元表示させた後、その２次元画像から生成された擬似３次元画像をテレビ１に３次元表示させることができる。また、ユーザは、３次元画像をテレビ１に受信させ３次元表示させた後、その３次元画像から抽出された２次元画像をテレビ１に２次元表示させることができる。つまり、ユーザは、テレビ１において２次元表示を行うか３次元表示を行うかを自在に切り替えることができる。
【００８４】
図３は、受信画像表示処理を実行した場合における、テレビ１に表示される画面の一例である。図３の左列は、受信画像表示処理における処理内容を時間の経過と共に示している。また、右列は、左列に示した処理が実行されている間にテレビ１に表示される画面の一例を示している。
【００８５】
テレビ１は画像を受信し始めると、画面ａのように、画像受信中を示す「ＩｒＳＳ受信中」というメッセージをＯＳＤ表示する。なお、画像受信中を示すメッセージはこれに限定されるものではなく、画像を受信していることを表すメッセージであればよい。
【００８６】
テレビ１は、画像を受信すると、左目用画像のデコードを行う。左目用画像のデコードを行っている間、テレビ１は、画面をミュートにする（画面ｂ）。
【００８７】
左目用画像のデコードが終わると、テレビ１は、右目用画像のデコードを始める。このとき、すでにデコードされている左目用画像を表示した画面ｃを表示する。
【００８８】
右目用画像のデコードが終了すると、テレビ１は左目用画像と右目用画像と両方を含むコマ画像からなる３次元映像（サイドバイサイド方式またはトップアンドボトム方式）を生成する。また、パネル駆動速度の変更や３Ｄ眼鏡駆動の設定など、３次元表示が可能な状態にする設定を行う。この間、テレビ１は画面をミュートにする（画面ｄ）。
【００８９】
３次元表示の設定が完了すると、上記３次元画像がテレビ１に３次元表示される（画面ｅ）。
【００９０】
このように、３次元画像の左目用画像のデコードが完了する間のみ、テレビ１に画像が何も表示されないため、左目用画像及び右目用画像の両方のデコードが完了するまで何も表示しない場合と比べて、表示部に何も表示されない期間が短くなるため、ユーザの待機時間を短くすることができる。
【００９１】
また、視聴していた映像が３次元表示で、受信した３次元画像を３次元表示する場合、パネル駆動速度の変更や３Ｄ眼鏡駆動の設定などを再度設定する必要が無いため、画面ｄを表示しなくてもよい。これにより、メッセージのＯＳＤ表示や左目用画像を表示した画面ｃの状態から画面ｅに切り替えることができる。
【００９２】
図４は、３次元画像（第１の３次元画像）がテレビ１に３次元表示されている（画面ｅ）状態で、テレビ１が新しい３次元画像（第２の３次元画像）を受信したとき、受信画像表示処理を実行した場合における、テレビ１に表示される画面の一例である。図４の１列目は、受信画像表示処理における処理内容を時間の経過と共に示し、２列目は、１列目に示した処理が実行されている間にテレビ１に表示される画面を示している。また、３列目及び４列目は、表示用バッファに格納された３次元画像の左目用画像と右目用画像とを示し、５列目及び６列目は、デコード用バッファに格納された３次元画像の左目用画像と右目用画像とを示している。
【００９３】
テレビ１は画像を受信すると、画像受信中を示す「ＩｒＳＳ受信中」というメッセージをＯＳＤ表示する。なお、画像受信中を示すメッセージはこれに限定されるものではなく、画像を受信していることを表すメッセージであればよい。
【００９４】
テレビ１は、画像を受信すると、左目用画像のデコードを行う。左目用画像のデコードを行っている間、デコード用バッファの左目用画像はデコード画像に切り替わる。このとき、表示用バッファの画像は変わらないため、デコード中であってもテレビ１は画面をミュートにすることなく、画面ｅを表示している。
【００９５】
左目用画像のデコードが完了し、右目用画像のデコードを行っている間、デコード用バッファの右目用画像はデコード画像に切り替わる。表示用バッファの画像は変わらないため、デコード中であってもテレビ１は画面をミュートにすることなく、画面ｅを表示している。
【００９６】
右目用画像のデコードが完了すると、表示用バッファに格納されている左目用画像と右目用画像とを、デコード用バッファに保存されているデコード済み左目用画像と右目用画像とに置きかえる。その後、新しい受信画像を表示した画面ｆがテレビ１に３次元表示される。
【００９７】
これによりテレビ１は、デコード用バッファに格納された３次元画像の３次元表示を開始するまで、表示用バッファに格納された３次元画像を表示し続ける。そのため、ユーザは、前に表示している３次元画像と新しく受信した３次元画像を連続して見ることができる。
【００９８】
図５は、テレビ１がＩｒＳＳを用いて画像を受信途中でエラーになったとき、受信画像表示処理を実行した場合における、テレビ１に表示される画面の一例である。
【００９９】
テレビ１は画像を受信すると、画面ｇのように、画像受信中を示す「ＩｒＳＳ受信中」というメッセージをＯＳＤ表示する。なお、画像受信中を示すメッセージはこれに限定されるものではなく、画像を受信していることを表すメッセージであればよい。
【０１００】
テレビ１は、左目用画像を受信すると、左目用画像のデコードを行う。左目用画像のデコードを行っている間、テレビ１は、画面をミュートにする（画面ｈ）。
【０１０１】
左目用画像のデコードが終わると、テレビ１は、右目用画像のデコードを始める。右目用画像受信中にエラーが起き、右目陽画像が正常に受信できなかった場合、テレビ１は、すでにデコードされている左目用画像とエラーが起きたことを知らせるメッセージがＯＳＤ表示された画面ｉを２次元表示する。なお、ＯＳＤ表示されるメッセージはこれに限定されるものではなく、発生したエラーを示す内容のメッセージであればよい。
【０１０２】
エラー発生後、受信エラーが起こった画像を、再度、受信することにより、右目用画像のデコードが終了し、テレビ１は、受信した３次元画像を３次元表示する（画面ｊ）。
【０１０３】
これにより、ユーザは、受信した画像のうち、正常に受信できなかった画像がどの画像であるかを容易に確認することができる。
【０１０４】
なお、エラー発生後に、再度受信する画像は、ユーザによって再送された画像であってもよいし、ＩｒＳｉｍｐｌｅなど双方向通信を用いて、テレビ１から送信された再送要求により、自動的に送信された画像であってもよい。
【０１０５】
なお、本実施形態において、３次元画像の左目用画像及び右目用画像は、左右逆であってもよい。例えば、本実施形態において３次元画像のデコードは、左目用画像から実行する説明を行ったが、右目用画像から実行してもよい。
【０１０６】
また、３次元ディスプレイ装置はテレビに限定されず、３次元ディスプレイを搭載したディスプレイ用モニター、ＰＣモニター、携帯電話端末、モバイル端末機器、カーナビ用のディスプレイ等に３Ｄデジタルカメラや３Ｄ携帯電話端末等で撮影した高精細の３次元映像を送信して好適に応用できる。
【０１０７】
〔プログラム及び記録媒体〕
最後に、テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１０８】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、上記テレビ１に供給し、そのコンピュータ（またはＣＰＵやＭＰＵ）が記録媒体に記録されているプログラムコードを読み出し実行することによっても、達成可能である。
【０１０９】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１１０】
また、テレビ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１１１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１２】
本発明は、受信した画像を表示可能な３次元表示を行う３次元ディスプレイ装置に広く適用することができる。３次元ディスプレイ装置としては、テレビ、及び、デジタルフォトフレームが代表的であるが、これに限定されるものではない。本発明は、ＰＣ（Personal Computer）に接続されるディスプレイ装置、ディスプレイを内蔵したＰＣ、携帯電話端末、ＰＤＡ（Personal Digital Assistant）や携帯型デジタル音楽プレーヤ等のモバイル端末機器、ディスプレイ装置を内蔵したカーナビゲーションシステムなどにも適用することができる。
【符号の説明】
【０１１３】
１              テレビ
１１ａ〜１１ｃ    ＨＤＭＩ入力端子
１１ｄ            ＨＤＭＩスイッチ
１００            ＨＤＭＩレシーバ
１０１ａ          映像入力端子
１０１ｂ          音声入力端子
１０２            ＢＤドライブ
１０３            チューナ
１０４            ＩＰ放送チューナ
１０５            衛星放送チューナ
１０６            ＯＳＤ生成部
１０７            映像セレクタ
１０８            映像処理回路
１０９            ＬＣＤコントローラ（表示制御手段）
１１０            ＬＣＤ（表示部）
１１１            音声セレクタ
１１２            音声処理回路
１１３            デジタルアンプ
１１４            スピーカ
１１５            イーサネットＩ／Ｆ
１１６            ＲＯＭ
１１７            ＲＡＭ
１１８            ＣＰＵ（判定手段）
１１９            リモコン赤外線受光部
１２０            ＩｒＳＳ赤外線受光部（画像受信手段）
１２１            ＵＳＢ・Ｉ／Ｆ
１２２            赤外線発光部
１３０            スイッチ
１３１            ３Ｄ処理部
１３２            ２Ｄ−３Ｄ変換部（生成手段、抽出手段）
１３３            眼鏡制御部
【図１】
2011250317.tif 000003
【図２】
2011250317.tif 000004
【図３】
2011250317.tif 000005
【図４】
2011250317.tif 000006
【図５】
2011250317.tif 000007